(57)【要約】【課題】      リ−ル収納部の形状を改善して大型の魚釣用リ−ルを装着した釣竿を収納することが出来ると共にコンパクトに折り畳める釣竿ケ−スを提供することである。【解決手段】  釣竿ケ−ス１は釣竿収納部１ａとリ−ル収納部１ｂで形成されて釣竿収納部１ａは二つ折り出来る外装シ−ト２と中間緩衝材３と内装シ−ト４で長手方向に開閉可能な開口部Ａ（ａ、ｂ、ｃ、ｄ、ｅ、ｆ）を有し、釣竿収納部１ａの縁にチャック６、７が取り付けられ、リ−ル収納部１ｂは釣竿収納部１ａの両側に夫々円弧状に突出し、開口部ｅ、ｆにはチャック６、７が上下から延長されて一連のチャックとなっていてチャックを閉じるとリ−ル収納部１ｂは釣竿収納部１ａの上に半球状の袋となり、リ−ル収納部１ｂの開口部ｅ、ｆには夫々長手方向に沿ってシ−トを折り返して重合部を形成した袋状のマチα、βが設けられている。【選択図】        図３
2008109899.tif 000002
【特許請求の範囲】
【請求項１】
長手方向に開閉可能な開口部を有する折り畳み可能な釣竿ケ−スにおいて、釣竿収納部から突出するリ−ル収納部を有し、該リ−ル収納部の長手方向に沿ってマチを設けたことを特徴とする釣竿ケ−ス。
【請求項２】
上記開口部はチャックで開閉されると共に開口部はリ−ル収納部を通って設けられていることを特徴とする請求項１記載の釣竿ケ−ス。
【発明の詳細な説明】
【技術分野】
【０００１】
本発明は、釣竿に魚釣用リ−ルを装着したまま収納する柔軟材で形成された釣竿ケ−スに関する。
【背景技術】
【０００２】
従来釣竿のみを収納する釣竿ケ−スでは柔軟材で形成された釣竿ケ−スが使用されているが、大型の魚釣用リ−ルを装着した釣竿を収納する時には硬質材で形成された釣竿ケ−スが使用されている。
しかし、硬質材で形成された釣竿ケ−スでは収納しない時でもそのままの形状を維持することになるので嵩張ることになる。
【特許文献１】特開平１１−５６１８８
【発明の開示】
【発明が解決しようとする課題】
【０００３】
解決しようとする問題点は、硬質材で形成された釣竿ケ−スでは収納しない時でもそのままの形状を維持することになるので嵩張ることである。
【０００４】
本発明の目的は前記欠点に鑑み、リ−ル収納部の形状を改善して大型の魚釣用リ−ルを装着した釣竿を収納することが出来ると共にコンパクトに折り畳める釣竿ケ−スを提供することである。
【課題を解決するための手段】
【０００５】
本発明の請求項１は、長手方向に開閉可能な開口部を有する折り畳み可能な釣竿ケ−スにおいて、釣竿収納部から突出するリ−ル収納部を有し、該リ−ル収納部の長手方向に沿ってマチを設けたことを要旨とするものである。
本発明の請求項２は、上記開口部はチャックで開閉されると共に開口部はリ−ル収納部を通って設けられていることを要旨とするものである。
【発明の効果】
【０００６】
本発明により、釣竿収納部に突出形成されたリ−ル収納部は、マチによってリ−ル収納部に収納されたリ−ルに合わせてリ−ル収納部が膨らむので、立体感のあるリ−ル収納部となり、釣竿とリ−ルか取り出されると釣竿ケ−スは平面状になって更に折り畳むこともできる。
【発明を実施するための最良の形態】
【０００７】
釣竿ケ−ス１は釣竿収納部１ａとリ−ル収納部１ｂが外装シ−ト２と中間緩衝材３と内装シ−ト４で一体に形成されて縁取り材５で縁取りされている。
外装シ−ト２と内装シ−ト４は綿などの天然素材、ナイロンなどの合成樹脂繊維の織布、塩化ビニ−ル、エチレン酢酸ビニ−ル等の合成樹脂シ−ト材、皮革で構成されている。
中間緩衝材３はスポンジ等である。
釣竿収納部１ａの形状は、二つ折りして折り畳み可能な外装シ−ト２と中間緩衝材３と内装シ−ト４で長手方向に開閉可能な開口部Ａ（ａ、ｂ、ｃ、ｄ、ｅ、ｆ）を有し、釣竿収納部１ａの上側と下側の縁にチャック６、７が取り付けられている。
リ−ル収納部１ｂは二つ折り出来る釣竿収納部１ａの両側に夫々円弧状に突出し、開口部Ａのうち開口部ｅ、ｆにはチャック６、７が上下から延長されて一連のチャックとなっている。
チャック６、７が閉じられると細長い袋状の釣竿収納部１ａの一側に半球状のリ−ル収納部１ｂが出来る。
リ−ル収納部１ｂの開口部ｅ、ｆには夫々長手方向に沿ってマチα、βが設けられている。
マチα、βは外装シ−ト２と中間緩衝材３と内装シ−ト４を摘んで重ね合わせて折り曲げて袋状にして伸ばすと幅広くなるように形成されている。
マチα、βを伸ばすと半球状のリ−ル収納部１ｂを大きくすることが出来る。
【実施例１】
【０００８】
以下、図示の一実施例によって本発明を説明すると、図１は釣竿ケ−スの側面図、図２は釣竿ケ−スの底面側から見た側面図、図３は釣竿ケ−スの展開図、図４は図３の釣竿ケ−スのＦ４−Ｆ４断面線の断面側面図と要部拡大断面側面図、図５は魚釣用リ−ルを収納した釣竿ケ−スの横断面平面図、図６はリ−ル収納部を開口した釣竿ケ−スの斜視図、図７は釣竿ケ−スの斜視図である。
【０００９】
釣竿ケ−ス１は釣竿収納部１ａとリ−ル収納部１ｂが外装シ−ト２と中間緩衝材３と内装シ−ト４で一体に形成されて縁取り材５で縁取りされている。
外装シ−ト２と内装シ−ト４は綿などの天然素材、ナイロンなどの合成樹脂繊維の織布、塩化ビニ−ル、エチレン酢酸ビニ−ル等の合成樹脂シ−ト材、皮革で構成されている。
中間緩衝材３はスポンジ等である。
釣竿収納部１ａの形状は、二つ折りして折り畳み可能な外装シ−ト２と中間緩衝材３と内装シ−ト４で長手方向に開閉可能な開口部Ａ（ａ、ｂ、ｃ、ｄ、ｅ、ｆ）を有し、釣竿収納部１ａの上側と下側の縁にチャック６、７が取り付けられている。
リ−ル収納部１ｂは二つ折り出来る釣竿収納部１ａの両側に夫々円弧状に突出し、開口部Ａのうち開口部ｅ、ｆにはチャック６、７が上下から延長されて一連のチャックとなっている。
チャック６、７が閉じられると細長い袋状の釣竿収納部１ａの一側に半球状のリ−ル収納部１ｂが出来る。
開口部Ａは釣竿収納部１ａの上下方向にリ−ル収納部１ｂを通して設けられている。
【００１０】
リ−ル収納部１ｂの開口部ｅ、ｆには開口部ｅ、ｆの長手方向に沿って開口部ｅ、ｆの両側に夫々マチα、βが設けられている。
マチα、βは外装シ−ト２と中間緩衝材３と内装シ−ト４を折り返して重合部を形成した部分で袋状にして伸ばすと折り畳まれたマチα、βが広がって幅広くなるように形成されている。
マチα、βを伸ばすと折り畳んだ半球状のリ−ル収納部１ｂを大きくすることが出来る。
釣竿収納部１ａの外側面には肩掛けベルト１０が取り付けられている。
釣竿収納部１ａの内側には釣竿８を差し込む長い袋１１が取り付けられている。
長い袋１１には雌の面ファスナ−１２が取り付けられ、長い袋１１の上方には雄の面ファスナ−１３が取り付けられた蓋１４が取り付けられている。
長い袋１１の下方には雄の面ファスナ−１５が取り付けられた折り返し部１６が取り付けられている。
【００１１】
釣竿ケ−ス１は釣竿８とリ−ル９が収納されない時は、図１、図２のように釣竿ケ−ス１の対向する左右両側面が向かい合わせ状に重合されて平たい袋状に畳まれる。
また長手方向に上下を重ねて二つ折り、三つ折りすることも出来る。
釣竿収納部１ａに釣竿８を収納し、リ−ル収納部１ｂに釣竿８に装着したリ−ル９を収納する時は図３のように、釣竿収納部１ａの内側にリ−ル９を装着した釣竿８を載せ、チャック６、７を上下から中央に向かって引くことで開口部Ａ（ａ、ｂ、ｃ、ｄ、ｅ、ｆ）が閉じられて図５、図６、図７のように収納される。
この時マチα、βは図５、図７のように横方向に広がることになる。
マチα、βの大きさ、折り曲げの重なり量の設定によって横方向への広がりを設定することが出来る。
釣竿収納部１ａに釣竿８を収納する時、釣竿８を長い袋１１に差し込んで収納してもよい。
この時釣竿８の長さが短い時は、折り返し部１６を上方に持ち上げて長い袋１１の底を上方に持ち上げて上げ底とすることが出来る。
【００１２】
前記のように釣竿ケ−スが構成されると、釣竿収納部１ａに突出形成されたリ−ル収納部１ｂは、マチα、βによってリ−ル収納部１ｂに収納されたリ−ル９に合わせてリ−ル収納部１ｂが膨らむので、立体感のあるリ−ル収納部１ｂとなり、釣竿８とリ−ル９か取り出されると釣竿ケ−ス１は平面状になって更に折り畳むこともできる。
【産業上の利用可能性】
【００１３】
本発明は釣竿ケ−スの全般に利用できる。
【図面の簡単な説明】
【００１４】
【図１】釣竿ケ−スの側面図である。
【図２】釣竿ケ−スの底面側から見た側面図である。
【図３】釣竿ケ−スの展開図である。
【図４】図３の釣竿ケ−スのＦ４−Ｆ４断面線の断面側面図と要部拡大断面側面図である。
【図５】魚釣用リ−ルを収納した釣竿ケ−スの横断面平面図である。
【図６】リ−ル収納部を開口した釣竿ケ−スの斜視図である。
【図７】釣竿ケ−スの斜視図である。
【符号の説明】
【００１５】
１  釣竿ケ−ス
１ａ  釣竿収納部
１ｂ  リ−ル収納部
６、７  チャック
Ａ（ａ、ｂ、ｃ、ｄ、ｅ、ｆ）  開口部
α、β  マチ
【図１】
2008109899.tif 000003
【図２】
2008109899.tif 000004
【図３】
2008109899.tif 000005
【図４】
2008109899.tif 000006
【図５】
2008109899.tif 000007
【図６】
2008109899.tif 000008
【図７】
2008109899.tif 000009